(57)【要約】【課題】ディスクブレーキの摩耗粉によるタイヤホイールのデザイン部分の汚染を防止する。【解決手段】車両の車体側に取り付けられ、ブレーキディスク１を回転自在に収容すると共にブレーキパッド２を収容するカバー本体３と、ブレーキディスク１の冷却手段４と、カバー本体３の外周面３ａ又は内側面３ｂに設けられた摩耗粉排出口を備えている。【選択図】図１
2008196684.tif 000002
【特許請求の範囲】
【請求項１】
車両の車体側に取り付けられ、ブレーキディスクを回転自在に収容すると共にブレーキパッドを収容するカバー本体と、前記ブレーキディスクの冷却手段を備えることを特徴とするディスクブレーキのディスクカバー装置。
【請求項２】
前記カバー本体の外周面又は内側面に設けられた摩耗粉排出口を備えることを特徴とする請求項１記載のディスクブレーキのディスクカバー装置。
【請求項３】
前記冷却手段は、前記カバー本体内に冷却空気を強制的に送り込む送風機構を備えることを特徴とする請求項１記載のディスクブレーキのディスクカバー装置。
【請求項４】
前記冷却手段は、前記カバー本体内に冷却空気を強制的に送り込む送風機構と、前記カバー本体に設けられた開閉窓と、前記開閉窓を開閉させるアクチュエータとを備え、前記アクチュエータは車両のエンジンの始動に連動して前記開閉窓を閉じると共に前記エンジンの停止に連動して前記開閉窓を開き、前記送風機構は車両のエンジンの始動に連動して始動すると共に前記エンジンの停止後所定時間の経過によって停止することを特徴とする請求項１記載のディスクブレーキのディスクカバー装置。
【請求項５】
前記送風機構の異常時には、前記開閉窓は手動操作によって開閉可能であることを特徴とする請求項４記載のディスクブレーキのディスクカバー装置。
【請求項６】
前記カバー本体内に侵入した水を除去する排水口を備えることを特徴とする請求項１から５のいずれか一つに記載のディスクブレーキのディスクカバー装置。
【請求項７】
前記カバー本体内に摩耗粉を吸着する磁石を備えることを特徴とする請求項１記載のディスクブレーキのディスクカバー装置。
【請求項８】
前記冷却手段は、前記カバー本体内の空気を吸引して外気を前記カバー本体内に導入して冷却する吸引機構を備えることを特徴とする請求項１記載のディスクブレーキのディスクカバー装置。
【発明の詳細な説明】
【技術分野】
【０００１】
本発明は、車両に取り付けられるディスクブレーキのディスクカバー装置に関するものである。更に詳しくは、本発明はディスクブレーキのブレーキディスク（ロータ）等を覆い、錆等の摩耗粉が飛散してタイヤホイールを汚損するのを防止するディスクブレーキのディスクカバー装置に関するものである。
【背景技術】
【０００２】
一般に自動車のブレーキとしてディスクブレーキが広く普及している。ディスクブレーキのブレーキディスク（ロータ）は金属部品であり、外気に直接曝されていることから錆びることがある。ブレーキディスクが錆びている状態で自動車の走行中にブレーキを作動させると、ブレーキディスクの錆が摩耗粉となって発生し飛散する。また、たとえブレーキディスクが錆びていなくても、ディスクブレーキの作動によってブレーキパッドやブレーキディスクが摩耗し摩耗粉が発生し飛散する。このような摩耗粉の飛散を防止するものは、従来、存在しなかった
【０００３】
なお、泥水等の飛沫からブレーキディスクを保護するものとして、例えば特開平６−７４２６５号公報に開示されたディスクブレーキ用ダストカバーがある。しかしながら、これはブレーキの作動に伴って発生する摩耗粉の飛散を防止するものではない。
【０００４】
【特許文献１】特開平６−７４２６５号
【発明の開示】
【発明が解決しようとする課題】
【０００５】
ディスクブレーキはタイヤホイールの内側に配置されており、ディスクブレーキの作動により発生した摩耗粉がそのまま飛散するとタイヤホイールのデザイン部分に付着し汚染するとの問題があった。ここで本明細書において、タイヤホイールのリムよりも内径側の部分をデザイン部分という。例えばディッシュタイプ・ホイールのディスク部、スポークタイプ・ホイール，ワイヤースポークタイプ・ホイールのスポーク部、メッシュタイプ・ホイールのメッシュ部、フィンタイプ・ホイールのフィン部、スパイラルタイプ・ホイールのスパイラル部等はデザイン部分である。
【０００６】
タイヤホイールのデザイン部分は自動車の外観の一部を構成しており、自動車の美観に大きく影響する。自動車のボディーを綺麗にしてもタイヤホイールのデザイン部分が汚れていると、自動車全体として汚れている印象を与えてしまうことになる。
【０００７】
本発明は、ブレーキディスクの摩耗粉によるタイヤホイールのデザイン部分の汚染を防止することができるディスクブレーキのディスクカバー装置を提供することを目的とする。
【課題を解決するための手段】
【０００８】
かかる目的を達成するために請求項１記載のディスクブレーキのディスクカバー装置は、車両の車体側に取り付けられ、ブレーキディスクを回転自在に収容すると共にブレーキパッドを収容するカバー本体と、ブレーキディスクの冷却手段を備えるものである。
【０００９】
したがって、ディスクブレーキの作動によって発生した摩耗粉はカバー本体によって捕捉され、その飛散を防止される。また、ディスクブレーキの作動によって発生した熱は冷却手段によって除去される。
【００１０】
また、請求項２記載のディスクブレーキのディスクカバー装置は、カバー本体の外周面又は内側面に設けられた摩耗粉排出口を備えている。したがって、ディスクブレーキの作動によって発生した摩耗粉はカバー本体によって一旦捕捉された後、摩耗粉排出口から排出される。摩耗粉排出口はカバー本体の外周面又は内側面に設けられているので、摩耗粉はタイヤホイールのリムの内周面又はタイヤの裏側に向けて排出される。
【００１１】
また、請求項３記載のディスクブレーキのディスクカバー装置は、冷却手段が、カバー本体内に冷却空気を強制的に送り込む送風機構を備えている。したがって、ディスクブレーキの作動によって発生した熱はカバー本体内に送り込まれた冷却空気によって除去される。
【００１２】
また、請求項４記載のディスクブレーキのディスクカバー装置は、冷却手段が、カバー本体内に冷却空気を強制的に送り込む送風機構と、カバー本体に設けられた開閉窓と、開閉窓を開閉させるアクチュエータとを備え、アクチュエータは車両のエンジンの始動に連動して開閉窓を閉じると共にエンジンの停止に連動して開閉窓を開き、送風機構は車両のエンジンの始動に連動して始動すると共にエンジンの停止後所定時間の経過によって停止するものである。
【００１３】
したがって、車両のエンジンが始動すると、アクチュエータが開閉窓を閉じる。このため、ディスクブレーキの作動によって発生した摩耗粉の飛散が防止される。また、送風機構が始動して冷却空気がカバー本体内に送り込まれる。このため、ディスクブレーキの作動によって発生した熱が冷却空気によって冷却される。一方、走行終了後、車両のエンジンが停止されると、アクチュエータが開閉窓を開ける。このため、ディスクブレーキの作動によって発生した熱が外に逃がされる。また、エンジンが停止しても所定時間を経過するまでは送風機構によって冷却空気が供給されており、カバー本体内は冷却空気によっても冷却される。送風機構はエンジン停止後所定時間の経過によって停止される。
【００１４】
また、請求項５記載のディスクブレーキのディスクカバー装置は、送風機構の異常時には、開閉窓が手動操作によって開閉可能である。したがって、カバー本体内を送風機構からの冷却空気によって冷却できない場合であっても、開閉窓からカバー本体内の熱を逃がすことができる。
【００１５】
さらに、請求項６記載のディスクブレーキのディスクカバー装置は、カバー本体内に侵入した水を除去する排水口を備えるものである。したがって、カバー本体内に侵入した水は排水口から排出され、カバー本体内に水が溜まることがない。
【００１６】
また、請求項７記載のディスクブレーキのディスクカバー装置は、カバー本体内に摩耗粉を吸着する磁石を備えるものである。したがって、カバー本体内で発生した摩耗粉は磁石によって吸着され捕捉される。この場合、摩耗粉排出口は有っても良いが、無くても良い。
【００１７】
また、請求項８記載のディスクブレーキのディスクカバー装置は、冷却手段が、カバー本体内の空気を吸引して外気をカバー本体内に導入して冷却する吸引機構を備えるものである。したがって、吸引機構がカバー本体内の空気を吸引すると、カバー本体内が負圧になりカバー本体内に外気が導入される。カバー本体内に導入された外気によってディスクブレーキの作動によって発生した熱が除去される。
【発明の効果】
【００１８】
請求項１記載のディスクブレーキのディスクカバー装置では、車両の車体側に取り付けられ、ブレーキディスクを回転自在に収容すると共にブレーキパッドを収容するカバー本体と、ブレーキディスクの冷却手段を備えているので、ブレーキの作動によって発生した摩耗粉の飛散を防止することができる。このため、タイヤホイールのデザイン部分とその周辺部分、即ち外から目立つ部分のブレーキ摩耗粉による汚染を防止することができる。また、錆等によって汚れたブレーキディスクをカバー本体によって隠すことができる。
【００１９】
また、請求項２記載のディスクブレーキのディスクカバー装置では、カバー本体の外周面又は内側面に設けられた摩耗粉排出口を備えているので、カバー本体によって一旦捕捉した摩耗粉をタイヤホイールのリムの内周面又はタイヤの裏側に向けて排出することができる。そのため、タイヤホイールの外から目立つ部分に摩耗粉が付着して汚染されるのを防止しつつ、カバー本体内に摩耗粉が溜まるのを防止することができる。
【００２０】
また、請求項３記載のディスクブレーキのディスクカバー装置では、冷却手段が、カバー本体内に冷却空気を強制的に送り込む送風機構を備えているので、熱のこもりやすいカバー本体内を強制的に冷却することができる。
【００２１】
また、請求項４記載のディスクブレーキのディスクカバー装置では、冷却手段が、カバー本体内に冷却空気を強制的に送り込む送風機構と、カバー本体に設けられた開閉窓と、開閉窓を開閉させるアクチュエータとを備え、アクチュエータは車両のエンジンの始動に連動して開閉窓を閉じると共にエンジンの停止に連動して開閉窓を開き、送風機構は車両のエンジンの始動に連動して始動すると共にエンジンの停止後所定時間の経過によって停止するようにしているので、車両の走行中にはブレーキ摩耗粉の飛散を防止できると共に熱のこもりやすいカバー本体内を強制的に冷却することができ、駐車時にはカバー本体内を開放して外気で冷却することができる。また、エンジン停止後所定時間は送風機構によって冷却空気をカバー本体内に強制的に送り込んでいるので、エンジン停止後いきなり冷却空気の供給が停止され、カバー本体内の冷却が不十分な段階で冷却性能が低下するのを防止することができる。
【００２２】
また、請求項５記載のディスクブレーキのディスクカバー装置では、送風機構の異常時には、開閉窓が手動操作によって開閉可能なようにしているので、カバー本体内を送風機構からの冷却空気によって冷却できない場合であっても、カバー本体内の熱を逃がすことができる。
【００２３】
さらに、請求項６記載のディスクブレーキのディスクカバー装置では、カバー本体内に侵入した水を除去する排水口を備えているので、カバー本体内に水が溜まることを防止することができる。
【００２４】
また、請求項７記載のディスクブレーキのディスクカバー装置では、カバー本体内に摩耗粉を吸着する磁石を備えているので、カバー本体内で発生した摩耗粉がカバー本体内で飛散するのを防止することができる。このため、カバー本体の外に飛散してタイヤホイールを汚染するのをより一層良好に防止することができる。
【００２５】
また、請求項８記載のディスクブレーキのディスクカバー装置では、冷却手段が、カバー本体内の空気を吸引して外気をカバー本体内に導入して冷却する吸引機構を備えているので、熱のこもりやすいカバー本体内を強制的に冷却することができる。カバー本体内の空気は吸引機構によって吸引され、カバー本体の孔などから排出されることはないので、カバー本体内で発生した摩耗粉は空気と一緒に吸引機構に吸い込まれることはあっても、カバー本体からタイヤホイールに向けて排出されることがない。このため、摩耗粉によるタイヤホイールの汚染をより一層良好に防止することができる。
【発明を実施するための最良の形態】
【００２６】
以下、本発明の構成を図面に示す最良の形態に基づいて詳細に説明する。
【００２７】
図１及び図２に本発明のディスクブレーキのディスクカバー装置の第１の実施形態を示す。ディスクブレーキのディスクカバー装置（以下、単にディスクカバー装置という）は、車両の車体側に取り付けられ、ブレーキディスク１を回転自在に収容すると共にブレーキパッド２を収容するカバー本体３と、ブレーキディスク１の冷却手段４を備えるものである。本実施形態では、カバー本体３の外周面３ａ又は内側面３ｂに設けられた摩耗粉排出口５を備えている。このディスクカバー装置は、例えば車両の全てのディスクブレーキについて設けられている。
【００２８】
カバー本体３は、例えば分割可能になっている。カバー本体３を分割可能にすることで、ブレーキディスク１とブレーキパッド２を収容しながらの取り付けが可能となり、また、カバー本体３内の清掃が可能になる。本実施形態ではカバー本体３を例えば内側ハウジング７と外側ハウジング８より構成し、内側と外側とで分割可能になっている。ただし、カバー本体３の分割はこれに限るものはなく、例えば図９（Ａ）に示すように上下に分割したり、図９（Ｂ）に示すように前後に分割しても良い。また、カバー本体３を上下に分割したり前後に分割した場合には、各分割片を完全に分離できるようにしても良いが、図９（Ｃ）又は（Ｄ）に示すように、一方の分割片に他方の分割片を回転可能に取り付け、二点鎖線で示すように、各分割片を重ねた状態で車両に取り付けた後、一方の分割片に対して他方の分割片を回転させてブレーキディスク１とブレーキパッド２を収容するものにしても良い。本実施形態では、内側ハウジング７は中央に孔７ａが設けられた円板形状の側板７ｂと、側板７ｂの外周縁から車幅方向外側に向けて設けられた周板７ｃより構成され、これらは一体成形されている。同様に、外側ハウジング８も中央に孔８ａを有する円板形状の側板８ｂと、側板８ｂの外周縁から車幅方向内側に向けて設けられた周板８ｃより構成され、これらは一体成形されている。各ハウジング７，８の周板７ｃ，８ｃの突き合わせ部分には複数の突片９が所定の間隔をあけて設けられている。内側ハウジング７の突片９と外側ハウジング８の突片９は互いに対向する位置に設けられている。各突片９にはボルト１０を通す小孔が設けられている。内側ハウジング７の周板７ｃの縁と外側ハウジング８の周板８ｃの縁とを突き合わせて両者の突片９同士をボルト１０及びナット１１によって締結することで、内部にブレーキディスク１等を収容する空間を有するカバー本体３が組み付けられる。カバー本体３は、タイヤホイール１２の内方に収まるように例えばドラム形状を成している。カバー本体３の材料は、例えば樹脂でも良いし、ステンレス鋼、アルミニウム合金等の金属等でも良い。
【００２９】
内側ハウジング７は、タイヤホイール１２と一緒に回転するのではなく車体側の回転しない部品に取り付けられている。本実施形態では内側ハウジング７は例えばナックル１３に取り付けられている。即ち、側板７ｂの孔７ａにナックル１３を通してナックル１３のフランジ１３ａに例えば図示しないボルトによって締結されている。このとき、本実施形態では内側ハウジング７の側板７ｂに孔７ｄを設けており、キャリパー１４の油圧シリンダ部分１４ａを孔７ｄから外に突出させている。孔７ｄの縁にはシール部材１５が設けられており、側板７ｂと油圧シリンダ部分１４ａとの隙間をシールして摩耗粉の飛散を防止している。シール部材１５としては、例えばスポンジやゴム等の弾性部材等の使用が考えられる。ただし、必ずしも側板７ｂに孔７ｄを設けてキャリパー１４の油圧シリンダ部分１４ａを外に突出させる必要はなく、油圧シリンダ部分１４ａを含めてキャリパー１４全体をカバー本体３内に収容しても良い。
【００３０】
外側ハウジング８の側板８ｂの孔８ａには車軸１６及びブレーキディスク１が通されている。外側ハウジング８の側板８ｂの孔８ａの縁にはシール部材１７が設けられており、側板８ｂとブレーキディスク１との隙間をシールして摩耗粉の飛散を防止している。シール部材１７としては、例えば小型のブラシ等の使用が考えられる。ただし、小型のブラシに限るものではなく、相対回転が生じる側板８ｂとブレーキディスク１との間からの摩耗粉の飛散を防止できる程度にシールできるものであれば使用可能である。
【００３１】
冷却手段４は、例えばカバー本体３内に冷却空気を強制的に送り込む送風機構１８を備えている。本実施形態では、送風機構１８として、例えば車両に搭載されているエアコンディショナを使用している。エアコンディショナによって作り出した冷風をチューブ１９によってカバー本体３内に導いている。チューブ１９は、例えば内側ハウジング７の側板７ｂに取り付けられている。ただし、チューブ１９の取付位置は内側ハウジング７の側板７ｂに限るものではなく、内側ハウジング７の周板７ｃ、外側ハウジング８の周板８ｃ、外側ハウジング８の側板８ｂでも良い。
【００３２】
摩耗粉排出口５は、例えば複数の小孔によって構成され、例えばカバー本体３の外周面３ａに設けられている。本実施形態では、内側ハウジング７の周板７ｃの最も低い位置に摩耗粉排出口５を設けており、この摩耗粉排出口５によってカバー本体３内に侵入した水を除去する排水口を兼ねている。摩耗粉排出口５によって排水口を兼ねることで、製造コストを安くすることができる。ただし、摩耗粉排出口５と排水口とを別々に設けても良く、あるいは、カバー本体３内への水の侵入を考慮しなくて良い場合には、排水口を設けなくても良い。また、必ずしも摩耗粉排出口５・排水口を複数の小孔によって構成する必要はなく、複数のスリットや、１つの小孔又は１つのスリット等で摩耗粉排出口５・排水口を構成しても良い。また、摩耗粉排出口５・排水口に網等の異物侵入防止手段を設けても良い。さらに、摩耗粉排出口５の位置は内側ハウジング７の周板７ｃの最も低い位置に限るものではなく、タイヤホイール１２のデザイン部分１２ａに直接臨む位置以外の位置であれば良い。即ち、カバー本体３の外周面３ａ又は内側面３ｂであれば、例えば内側ハウジング７の周板７ｃ又は外側ハウジング８の周板８ｃのいずれの位置でも良く、内側ハウジング７の側板７ｂのいずれの位置でも良い。摩耗粉排出口５をカバー本体３の外周面３ａの最も低い位置に設けた場合には重力と冷却空気の流れとを利用して摩耗粉を排出することができるが、摩耗粉排出口５を他の位置に設けた場合であっても冷却空気の流れを利用して摩耗粉を排出することができる。また、内側ハウジング７の周板７ｃと外側ハウジング８の周板８ｃの両方にわたって摩耗粉排出口５・排水口を形成しても良い。
【００３３】
次に、ディスクカバー装置の作用について説明する。ディスクブレーキの作動によりブレーキディスク１の錆が剥がれたりブレーキパッド２等が摩耗して摩耗粉が発生する。ブレーキディスク１及びブレーキパッド２はカバー本体３内に収容されているため、発生した摩耗粉はカバー本体３によって一旦捕捉され、周囲に飛散することがない。カバー本体３内において摩耗粉は落下して底部に溜まり、摩耗粉排出口５から排出される。摩耗粉排出口５はカバー本体３の外周面３ａに設けられており、タイヤホイール１２のデザイン部分１２ａに対向していないため、排出された摩耗粉はタイヤホイール１２のデザイン部分１２ａに付着し難くい。このため、摩耗粉によるタイヤホイール１２のデザイン部分１２ａの汚染防止を図ることができる。また、錆等によって汚れたブレーキディスク１をカバー本体３によって隠すことができるので、タイヤホイール１２のデザイン部分１２ａの隙間からブレーキディスク１の汚れが見えてしまうのを防止することができる。
【００３４】
冷却手段４からカバー本体３内に送り込まれた冷却空気はカバー本体３内を冷却した後、摩耗粉排出口５から排気される。即ち、ブレーキディスク１及びブレーキパッド２はカバー本体３内に収容されており、ディスクブレーキの作動によって発生した熱が逃げ難い構造ではあるが、カバー本体３内に冷却空気を強制的に送り込むことで、カバー本体３内の温度上昇を防止することができる。
【００３５】
次に、本発明のディスクカバー装置の第２の実施形態について説明する。なお、図１のディスクカバー装置との相違を中心に説明し、同一の部材には同一の符号を付して詳細な説明を省略する。このディスクカバー装置の冷却手段４は、図３及び図４に示すように、カバー本体３内に冷却空気を強制的に送り込む送風機構１８と、カバー本体３に設けられた開閉窓２０と、開閉窓２０を開閉させるアクチュエータ２１を備えており、アクチュエータ２１は車両の図示しないエンジンの始動に連動して開閉窓２０を閉じると共にエンジンの停止に連動して開閉窓２０を開き、送風機構１８は車両のエンジンの始動に連動して始動すると共にエンジンの停止後所定時間ｔの経過によって停止するものである。
【００３６】
開閉窓２０は、例えば内側ハウジング７の側板７ｂに設けられた窓孔２２と、当該窓孔２２を塞ぐパネル２３より構成されている。窓孔２２は、例えば３個所に設けられている。ただし、３個所に限るものではなく、１個所または２個所でも良いし、４個所以上でも良い。パネル２３は例えば内側ハウジング７の側板７ｂと同じ直径の円板で、中央にはナックル１３を通すための孔２３ａが設けられている。また、パネル２３にはキャリパー１４の油圧シリンダ部分１４ａ及びアクチュエータ２１との干渉を回避するための孔２３ｂが設けられている。孔２３ｂの外側位置には円弧状にラック２４が設けられている。パネル２３は内側ハウジング７の側板７ｂに重ねるようにしてナックル１３に取り付けられている。パネル２３とナックル１３の間にはベアリング２５が設けられており、パネル２３はナックル１３及び内側ハウジング７の側板７ｂに対して回転自在となっている。パネル２３には窓孔２２に対応して孔２３ｃが設けられている。孔２３ｃには例えば網２６が張られており、ある程度の大きさの異物の侵入を防止する。
【００３７】
アクチュエータ２１は、例えば電動モータであり、内側ハウジング７の側板７ｂに固定されている。アクチュエータ２１の出力軸には減速機構２７が接続されており、更に減速機構２７の出力軸にはピニオンギア２８が接続されている。ピニオンギア２８はラック２４に噛み合っている。アクチュエータ２１、減速機構２７、ピニオンギア２８は例えば図示しない防塵カバー内に収容されている。アクチュエータ２１は、例えば車両に搭載されているコンピュータ（図示せず）によって操作される。
【００３８】
コンピュータは図示しないイグニションスイッチのオンオフ操作に基づいてエンジンの始動と停止を検出する。イグニッションスイッチのオン操作によりエンジンが始動すると、コンピュータはアクチュエータ２１を作動させてパネル２３を図４（Ｂ）の位置から（Ａ）の位置まで回転させる。これにより窓孔２２の位置から孔２３ｃの位置がずれることになり、開いていた開閉窓２０が閉じられる。また、コンピュータは送風機構１８としてのエアコンディショナーを始動させて冷却空気をカバー本体３内に送り込む。したがって、ディスクブレーキの作動によって発生する摩耗粉の飛散を防止することができると共に、カバー本体３内の冷却を良好に行うことができる。なお、本実施形態では、チューブ１９は内側ハウジング７の周板７ｃに取り付けられている。
【００３９】
一方、イグニッションスイッチのオフ操作によりエンジンが停止すると、コンピュータはアクチュエータ２１を上述の場合とは逆方向に作動させてパネル２３を図４（Ａ）の位置から（Ｂ）の位置まで回転させる。これにより窓孔２２の位置と孔２３ｃの位置が重なり、閉じていた開閉窓２０が開かれる。エンジン停止後即ち走行終了後には摩耗粉が発生することはないので、開閉窓２０を開けて外気を導入し放熱することができる。また、コンピュータは図示しないタイマーを作動させて所定時間ｔの計測を開始する。そして、所定時間ｔが経過すると、コンピュータは送風機構１８としてのエアコンディショナーを停止させる。車両の走行が終了した直後では、カバー本体３内が高温になっている。したがって、エンジンの停止後所定時間ｔが経過するまで冷却空気を強制的に送り込むことで、カバー本体３内を良好に冷却することができる。即ち、所定時間ｔはカバー本体３内を良好に冷却するのに十分な時間であり、例えば２〜３分である。
【００４０】
このように本実施形態のディスクカバー装置では、駐車時には開閉窓２０を開けてカバー本体３内に外気を導入して放熱することができる。
【００４１】
なお、上述の形態は本発明の好適な形態の一例ではあるがこれに限定されるものではなく本発明の要旨を逸脱しない範囲において種々変形実施可能である。
【００４２】
例えば、図３，図４のディスクカバー装置では、アクチュエータ２１をコンピュータによって自動的に操作するようにしていたが、コンピュータによる自動操作に加えて運転者が任意に操作できるようにしても良い。このようにすることで開閉窓２０が手動操作によって開閉可能になり、例えば走行中に送風機構１８としてのエアコンディショナーから冷却空気を送れなくなった等の異常が発生した場合に開閉窓２０を手動操作によって開いて放熱することができる。また、送風機構１８としてのエアコンディショナーとは別にファン等の送風機構が設けられている場合には、開閉窓２０を開けると共に当該送風機構からチューブ１９を通じてカバー本体３内に風を送り込むようにしても良い。この場合には、開閉窓２０からの放熱に加えて送風機構からの送風によってもカバー本体３内を冷却することができる。さらに、洗車時には手動操作によって開閉窓２０を閉じてカバー本体３内に水が侵入するのを防止することもできる。なお、運転者による手動操作の手段としては、例えば運転席に図示しないスイッチを設けておき、このスイッチの操作によってアクチュエータ２１を作動させることが考えられる。
【００４３】
また、図３，図４のディスクカバー装置では、コンピュータによって操作されるアクチュエータ２１、減速機構２７、ピニオンギア２８、ラック２４によってパネル２３を回転させていたが、パネル２３を回転させる構成は必ずしもこの構成に限るものではない。例えば図５に示すように、チューブ２９に入ったワイヤ３０と図示しない操作レバーによってパネル２３を回転させるようにしても良い。ワイヤ３０はチューブ２９内を移動することができ、チューブ２９の先端は内側ハウジング７に固定されている。例えば、図５のディスクカバー装置では、内側ハウジング７の側板７ｂの直径よりもパネル２３の直径を僅かに小さくし、側板７ｂの外周部分にチューブ２９が固定されている。また、ワイヤ３０の先端はパネル２３に固定されている。ワイヤ３０及びチューブ２９は図示しない運転席まで延びている。ワイヤ３０の反対側の端は、運転席に設けられている操作レバーに接続されている。運転者が操作レバーを操作することでチューブ２９に対してワイヤ３０を引っ張ったり押し込んだりしてパネル２３を回転させることができる。また、操作レバーの代わりに電動モータや油圧シリンダ等のアクチュエータ２１を設け、当該アクチュエータ２１によってワイヤ３０を操作するようにしても良い。この場合、運転者がスイッチ操作によって当該アクチュエータ２１を作動させるようにしても良いし、あるいは図３，図４のディスクカバー装置のようにコンピュータの自動操作によって当該アクチュエータ２１を操作するようにしても良い。また、運転者によるスイッチ操作とコンピュータによる自動操作の両方によって当該アクチュエータ２１を作動させるようにしても良く、この場合には、上述したように通常時にはコンピュータによって当該アクチュエータ２１を自動操作し、異常時には運転者が手動操作で当該アクチュエータ２１を操作することができる。
【００４４】
また、上述の説明では、開閉窓２０の窓孔２２を内側ハウジング７に設けると共に、この内側ハウジング７にパネル２３を重ねるように配置し、謂わばカバー本体３の内側面に開閉窓２０を設けていたが、開閉窓２０の窓孔２２を外側ハウジング８に設けると共に、この外側ハウジング８にパネル２３を重ねるように配置し、謂わばカバー本体３の外側面に開閉窓２０を設けても良い。
【００４５】
また、上述の説明では、送風機構１８は車両のエアコンディショナーであったが、車両のエアコンディショナーとは別に専用のクーラーを設けても良い。
【００４６】
また、上述の説明では、冷却手段４としてエアコンディショナーやクーラー等の送風機構１８を設けていたが、送風機構１８に代えて、走行風を取り入れる空気取入れ口と取り入れた走行風をカバー本体３内に導くチューブ１９とによって冷却手段４を構成しても良い。
【００４７】
また、カバー本体３内に摩耗粉を吸着する磁石３１を備えるようにしても良い。磁石３１を備えた例を図６及び図７に示す。磁石３１としては、摩耗粉を吸着できるものであれば永久磁石であっても電磁石であっても良い。この例の磁石３１は、例えば永久磁石である。永久磁石を使用する場合には特別の電源が不要になる。磁石３１は例えばリング状に成形された板状の磁石で、例えば外側ハウジング８の側板８ｂの内面に接着剤等によって固着されている。即ち、磁石３１は側板８ｂの全周に亘って設けられている。ただし、磁石３１を側板８ｂの全周に亘って設ける必要はなく、例えば複数の小片状の磁石３１を円周状に並べて固着しても良い。また、複数の小片状の磁石３１を固着させる場合に、キャリパー１４の近傍に重点的に固着させるようにしても良い。さらに、磁石３１の固着位置は外側ハウジング８の側板８ｂに限るものではなく、内側ハウジング７の側板７ｂ、内側ハウジング７の周板７ｃ、外側ハウジング８の周板８ｃでも良い。また、側板７ｂ，８ｂ、周板７ｃ，周板８ｃのうち２以上に磁石３１を固着させるようにしても良い。このように、カバー本体３内に磁石３１を備えることで、カバー本体３内で発生した摩耗粉を磁石３１によって吸着して捕捉することができ、摩耗粉の飛散防止を図ることができる。なお、ハウジング７，８の材料が鉄などの磁石が吸着する材料である場合には、接着剤等を使用せずに磁石３１自体の吸着力を利用して当該磁石３１を外側ハウジング８の側板８ｂ等に取り付けるようにしても良い。この場合には、磁石３１の取り付けを容易にすることができる。また、磁石３１の取り外しも容易になり、例えば自動車の点検時等においてカバー本体３を分解し磁石３１を取り外して清掃するのが容易になる。
【００４８】
また、上述の説明では、カバー本体３に摩耗粉排出口５を設けていたが、摩耗粉をカバー本体３内に閉じ込めて溜めておく場合には摩耗粉排出口５を設けなくても良い。この場合、冷却手段４からカバー本体３内に送り込まれた冷却空気をカバー本体３とブレーキディスク１との隙間等から外に排出するようにしても良いが、当該冷却空気を外に排出するための空気孔をカバー本体３に設けても良い。空気孔を設ける位置は特に制限されるものではないが、できるだけ高い位置に設けることで摩耗粉が冷却空気に巻き込まれて一緒に外に排出されるのを防止することができる。また、空気孔をタイヤの裏側に向けて設けることで仮に摩耗粉が冷却空気に巻き込まれて一緒に外に排出されたとしても、摩耗粉がタイヤホイール１２の外から目立つ位置に付着するのを防止することができる。また、摩耗粉排出口５を設けずに摩耗粉をカバー本体３内に閉じ込めておく場合には、カバー本体３内に磁石３１を設けることが好ましい。磁石３１によって摩耗粉を吸着することで、カバー本体３内で摩耗粉が舞うのを防止することができる。なお、摩耗粉排出口５を設けずに摩耗粉をカバー本体３内に溜めておく場合には、例えば車両点検時にカバー本体３を分解して清掃し摩耗粉を除去することが好ましい。この場合には摩耗粉を環境にまき散らさずに回収できるので、環境保全に貢献することができる。なお、摩耗粉排出口５を設けた場合であっても、冷却空気を外に排出するための空気孔をカバー本体３に設けても良い。この場合には、摩耗粉排出口５から空気が勢いよく噴出するのを防止でき、摩耗粉が勢いよく噴出するのを防止することができる。
【００４９】
また、上述の説明では、摩耗粉排出口５は常時開口しているものであったが、摩耗粉排出口５を開閉可能にしても良い。通常は摩耗粉排出口５を閉じておき、カバー本体３内に溜まった摩耗粉を排出する場合にのみ摩耗粉排出口５を開くようにしても良い。この場合にも摩耗粉の飛散を防止してタイヤホイール１２の外から目立つ位置が摩耗粉によって汚染されるのを防止することができると共に、必要に応じてカバー本体３内に溜まった摩耗粉を除去することができる。
【００５０】
また、上述の説明では、冷却手段４は冷却空気をカバー本体３内に送り込むものであったが、負圧を発生させてカバー本体３内の空気を吸引するものであっても良い。即ち、冷却手段４は、カバー本体３内の空気を吸引して外気をカバー本体３内に導入して冷却する吸引機構３２を備えていても良い。この例を図８に示す。吸引機構３２はチューブ１９の先端に接続されている。吸引機構３２は、例えば負圧を発生させるポンプやファン等である。カバー本体３に摩耗粉排出口５が設けられている場合には、カバー本体３内の空気を吸引することで摩耗粉排出口５から外気をカバー本体３内に導入してカバー本体３内を冷却する。また、摩耗粉排出口５が設けられていない場合には、カバー本体３とブレーキディスク１との隙間等から外気を導入するようにしても良いが、別個に空気取入れ孔を設けてこの空気取入れ孔から外気を導入するようにしても良い。空気取入れ孔を設ける位置は特に制限されるものではないが、できるだけ吸引機構による吸引位置から離れた位置に設けることが好ましい。離れた位置に設けることで、空気取入れ孔から導入した外気が流れる経路を長くすることができ、カバー本体３内をより良好に冷却することができる。吸引機構３２によってカバー本体３内の空気を吸引し、カバー本体３内に外気を導入することで、熱のこもりやすいカバー本体３内を強制的に冷却することができる。カバー本体３内の空気は吸引機構３２によって吸引され、摩耗粉排出口５等から空気が排出されることはないので、カバー本体３内で発生した摩耗粉は空気と一緒に吸引機構３２に吸い込まれることはあっても、カバー本体３の外に排出されることがない。このため、摩耗粉によるタイヤホイール１２の汚染をより一層良好に防止することができる。
【図面の簡単な説明】
【００５１】
【図１】本発明のディスクブレーキのディスクカバー装置の第１の実施形態を示し、タイヤ中心を通る水平面における断面図である。
【図２】同ディスクブレーキのディスクカバー装置を示し、タイヤ中心を通る鉛直面における断面図である。
【図３】本発明のディスクブレーキのディスクカバー装置の第２の実施形態を示し、そのカバー本体のタイヤ中心を通る鉛直面における断面図である。
【図４】同ディスクブレーキのディスクカバー装置の冷却手段を示し、（Ａ）はその開閉窓が閉じている様子を示す図、（Ｂ）はその開閉窓が開いている様子を示す図である。
【図５】冷却手段の変形例を示し、（Ａ）はその開閉窓が閉じている様子を示す図、（Ｂ）はその開閉窓が開いている様子を示す図である。
【図６】本発明のディスクブレーキのディスクカバー装置の第３の実施形態を示し、そのカバー本体のタイヤ中心を通る水平面における断面図である。
【図７】同ディスクブレーキのディスクカバー装置を示し、タイヤ中心を通る鉛直面における断面図である。
【図８】本発明のディスクブレーキのディスクカバー装置の第４の実施形態を示し、そのカバー本体のタイヤ中心を通る水平面における断面図である。
【図９】カバー本体の変形例を示し、（Ａ）は第１の変形例を示す概念図、（Ｂ）は第２の変形例を示す概念図、（Ｃ）は第３の変形例を示す概念図、（Ｄ）は第４の変形例を示す概念図である。
【符号の説明】
【００５２】
１  ブレーキディスク
２  ブレーキパッド
３  カバー本体
４  冷却手段
５  摩耗粉排出口（排水口）
１３  ナックル（車両の車体側）
１８  送風機構
２０  開閉窓
２１  アクチュエータ
３１  磁石
【図１】
2008196684.tif 000003
【図２】
2008196684.tif 000004
【図３】
2008196684.tif 000005
【図４】
2008196684.tif 000006
【図５】
2008196684.tif 000007
【図６】
2008196684.tif 000008
【図７】
2008196684.tif 000009
【図８】
2008196684.tif 000010
【図９】
2008196684.tif 000011